(57)【要約】【課題】操作ボタンに直接触れることなく乗りかごの行き先階登録等の操作を行うことができるエレベータ乗りかご用消毒装置を提供する。【解決手段】エレベータ乗りかご用消毒装置は、乗りかご２内に設置されるかご操作盤８の表面にある操作ボタン１２，１４，１６ａ，１６ｂを覆って設けられ、かご操作盤８に形成されたスリット２２，２４を介してかかご操作盤８の表面側と裏面側とを移動可能な無端状をなす透明または半透明のフィルム部材２０と、かご操作盤８の裏面側においてフィルム部材２０の内側に設けられ、フィム部材２０を回転移動させる駆動ローラ２６と、かご操作盤８の裏面側においてフィルム部材２０の表面に消毒液３１を吹き付けて消毒する消毒部３０と、駆動ローラ２６および消毒部３０の作動を制御する制御部４０とを備える。【選択図】図３
2011116536.tif 000002
【特許請求の範囲】
【請求項１】
乗りかご内に設置されるかご操作盤の表面にある操作ボタンを覆って設けられ、かご操作盤に形成されたスリットを介してかご操作盤の表面側と裏面側とを移動可能な無端状をなす透明または半透明のフィルム部材と、
かご操作盤の裏面側において前記フィルム部材の内側に設けられ、前記フィム部材を回転移動させる駆動部と、
かご操作盤の裏面側において前記フィルム部材の表面に消毒液を吹き付けて消毒する消毒部と、
前記駆動部および前記消毒部の作動を制御する制御部と
を備えるエレベータ乗りかご用消毒装置。
【請求項２】
請求項１に記載のエレベータ乗りかご用消毒装置において、
消毒部による消毒動作は、乗りかごが扉閉状態で待機しているときに実行されることを特徴とするエレベータ乗りかご用消毒装置。
【請求項３】
請求項１または２に記載のエレベータ乗りかご用消毒装置において、
前記制御部は、１回の消毒動作で前記フィルム部材を少なくとも半周だけ回転させることを特徴とするエレベータ乗りかご用消毒装置。
【請求項４】
請求項３に記載のエレベータ乗りかご用消毒装置において、
前記制御部は、複数の操作ボタンのうち接触操作された操作ボタン上に位置するフィルム部材の部分が前記消毒部に対向する位置まで移動するように前記フィルム部材を半周よりも短い距離だけ回転させることを特徴とするエレベータ乗りかご用消毒装置。
【請求項５】
請求項３または４に記載のエレベータ乗りかご用消毒装置において、
前記制御部によって設定される前記フィルム部材の回転距離は、前記駆動部の駆動開始から駆動停止までの時間により制御されることを特徴とするエレベータ乗りかご用消毒装置。
【請求項６】
請求項１から５のいずれかに記載のエレベータ乗りかご用消毒装置において、
前記フィルム部材は、上下方向または水平方向に回転移動させられることを特徴するエレベータ乗りかご用消毒装置。
【請求項７】
請求項６に記載のエレベータ乗りかご用消毒装置において、
前記フィルム部材は、かご操作盤上に配置された複数の操作ボタンの列または行に応じて複数に分割されており、各分割されたフィルム部材ごとに回転駆動および消毒されるように構成したことを特徴とするエレベータ乗りかご用消毒装置。
【請求項８】
請求項１から７のいずれに記載のエレベータ乗りかご用消毒装置において、
前記フィルム部材の表面に、消毒済みであることを示す表示が付されていることを特徴とするエレベータ乗りかご用消毒装置。
【発明の詳細な説明】
【技術分野】
【０００１】
本発明は、エレベータ乗りかご用消毒装置に関し、特に、乗りかご内に設置されるかご操作盤上にある操作ボタンに直接触れることなくエレベータを操作可能にするエレベータ乗りかご用消毒装置に関する。
【背景技術】
【０００２】
現在、商業施設や病院等の種々の場所において、エレベータシステムが設置されている。最近、新型インフルエンザの流行等といった事情もあり、エレベータシステムを利用するお客様等から操作ボタンに直接触れないでエレベータを操作したい等といった要望がある。特に、新型インフルエンザの流行が取り沙汰されている昨今においては、このような要望が高い。
【０００３】
本発明に関連する技術として、例えば、特許文献１には、エレベータの制御装置として、エレベータのかご内に設置され、乗客の眼球の虹彩を検出するかご内虹彩検出装置と、かご呼び登録を許可する乗客の許可虹彩データを格納する許可虹彩データ格納装置と、上記かご内虹彩検出装置で検出された検出虹彩データと、上記許可虹彩データとを照合する虹彩照合装置と、上記虹彩照合装置による照合の結果、上記検出虹彩データと上記許可虹彩データとが一致した場合にかご呼び登録を行うかご呼び登録装置と、上記かご呼び登録装置に登録されたかご呼びに応答して、上記エレベータの運転を制御する運転制御装置と、を備えた構成が開示されている。
【先行技術文献】
【特許文献】
【０００４】
【特許文献１】特開２００４−３１５１２７号公報
【発明の概要】
【発明が解決しようとする課題】
【０００５】
上記特許文献１の構成を用いることで、操作ボタンに直接手を触れずにエレベータシステムを運転することができる。しかし、上記特許文献１の構成では、乗客の眼球の虹彩を検出する必要があり、乗客によっては眼球の虹彩を検出されることに対して抵抗を感じる場合もあり、また、予め乗客の眼球の虹彩データを個々に登録する必要がある。
【０００６】
本発明の目的は、別の構成で操作ボタンに直接触れることなく乗りかごの行き先階登録等の操作を行うことができるエレベータ乗りかご用消毒装置を提供することにある。
【課題を解決するための手段】
【０００７】
本発明に係るエレベータ乗りかご用消毒装置は、乗りかご内に設置されるかご操作盤の表面にある操作ボタンを覆って設けられ、かご操作盤に形成されたスリットを介してかご操作盤の表面側と裏面側とを移動可能な無端状をなす透明または半透明のフィルム部材と、かご操作盤の裏面側において前記フィルム部材の内側に設けられ、前記フィム部材を回転移動させる駆動部と、かご操作盤の裏面側において前記フィルム部材の表面に消毒液を吹き付けて消毒する消毒部と、前記駆動部および前記消毒部の作動を制御する制御部とを備える。
【０００８】
本発明に係るエレベータ乗りかご用消毒装置において、消毒部による消毒動作は、乗りかごが戸閉状態で待機しているときに実行されてもよい。
【０００９】
また、本発明に係るエレベータ乗りかご用消毒装置において、制御部は、１回の消毒動作で前記フィルム部材を少なくとも半周だけ回転させてもよい。
【００１０】
また、本発明に係るエレベータ乗りかご用消毒装置において、制御部は、複数の操作ボタンのうち接触操作された操作ボタン上に位置するフィルム部材の部分が前記消毒部に対向する位置まで移動するようにフィルム部材を半周よりも短い距離だけ回転させてもよい。
【００１１】
また、本発明に係るエレベータ乗りかご用消毒装置において、制御部によって設定されるフィルム部材の回転距離は、駆動部の駆動開始から駆動停止までの時間により制御されてもよい。
【００１２】
また、本発明に係るエレベータ乗りかご用消毒装置において、フィルム部材は、上下方向または水平方向に回転移動させられてもよい。この場合、フィルム部材は、かご操作盤上に配置された複数の操作ボタンの列または行に応じて複数に分割されており、各分割されたフィルム部材ごとに回転駆動および消毒されるように構成されてもよい。
【００１３】
さらに、本発明に係るエレベータ乗りかご用消毒装置において、フィルム部材の表面に、消毒済みであることを示す表示がなされていてもよい。
【発明の効果】
【００１４】
本発明に係るエレベータ乗りかご用消毒装置によれば、乗りかご内で乗客がフィルム部材を介して操作ボタンを接触操作したとき、フィルム部材をかご操作盤の裏面側に回転移動させて、その接触領域に対して消毒部から消毒液を噴霧して消毒することができる。これにより、操作ボタンを覆うフィルム部材の表面を常時除菌または滅菌された清潔な状態に保つことができ、乗りかごの操作ボタンに触れることによってのウイルス感染を防止することができる。
【図面の簡単な説明】
【００１５】
【図１】本発明の実施の形態のエレベータ乗りかご用消毒装置が適用されるエレベータの乗りかごを概略的に示す図である。
【図２】本発明の一実施の形態であるエレベータ乗りかご用消毒装置を適用したかご操作盤の正面図である。
【図３】図２におけるＡ−Ａ線断面図であり、かご操作盤の裏面側に設けられた駆動部、消毒部および制御部を示す図である。
【図４】エレベータ乗りかご用消毒装置の動作手順を示すフローチャートである。
【図５】フィルム部材を最短距離だけ回転移動させる場合の移動距離について説明するための図である。
【図６】操作ボタンの列に沿って２分割されたフィルム部材を示す図である。
【図７】図７に示す２分割されたフィルム部材に対応して駆動ローラおよび噴霧用ノズルがそれぞれ設けられている状態を示す図である。
【図８】フィルム部材を水平方向に回転移動させるように構成したエレベータ乗りかご用消毒装置を示す図である。
【図９】フィルム表面に消毒済みである旨を表示したフィルム部材を示す図である。
【発明を実施するための形態】
【００１６】
以下に、本発明に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。
【００１７】
図１は、本発明の一実施の形態であるエレベータ乗りかご用消毒装置が適用されるエレベータシステム１０の乗りかご２を概略的に示す。エレベータシステム１０は、乗りかご２の上部に連結された主ロープ７を巻き上げる巻上機（図示せず）等が昇降路の最下部であるいわゆるピット内に設置されている。乗りかご２は、乗客４を行き先階まで移動させるためのものであって、各階床の乗り場で開閉動作されるかご扉６と、かご扉６の側方のかご内壁面に設置されたかご操作盤８とを含んで構成される。かご扉６は、両開き又は片開きのいずれの方式であってもよい。
【００１８】
図２は上記かご操作盤８の拡大図であり、図３は図２におけるＡ−Ａ線断面図である。かご操作盤８上には、複数の操作ボタン１２，１４，１６ａ，１６ｂとインジケータ１８とが設けられている。開ボタン１２および閉ボタン１４は、乗客４がかご扉６を開閉操作するためのボタンであり、かご操作盤８の下方に配置されている。開閉ボタン１２，１４の上方には、８つの操作ボタンからなる行き先階登録ボタン１６が配置されている。本実施の形態では、１階から８階に対応して８つの行き先階登録ボタンの例を示しており、１階から４階までの４つの行き先階登録ボタン１６ａが左側縦一列に配置され、５階から８階までの４つの行き先階登録ボタン１６ｂが右側縦一列に配置されている。
【００１９】
また、かご操作盤８の上部に配置されるインジケータ１８は、乗りかご２が現在位置している階床数を示す数字とかご移動方向を示す矢印等を表示することができる表示器であり、液晶パネルやＬＥＤパネル等によって好適に構成されることができる。
【００２０】
図２に示すように、かご操作盤１８上に設けられた操作ボタン１２，１４，１６ａ，１６ｂは、フィルム部材２０によって覆われている。フィルム部材２０は、透明または半透明の例えばプラスチックフィルムからなり、図３に示すように無端状に形成されている。
【００２１】
図２，３に示すように、かご操作盤８において、開閉ボタン１２，１４の下方に下部スリット２２が形成されるとともに、行き先階登録ボタン１６ａ，１６ｂの上方に上部スリット２４が形成されている。無端状をなすフィルム部材２０は、上部スリット２４からかご操作盤８の裏面側に進入して、下部スリット２２からかご操作盤８の表面側に出現するように配置されている。
【００２２】
かご操作盤１８の裏面側において、無端状のフィルム部材２０の内側には２つのローラ２６，２９がそれぞれ回転可能に配置されている。上部スリット２４の近傍に配置されたローラは、駆動源としてのモータ２８を内蔵した駆動ローラ（駆動部）２６である。一方、下部スリット２２の近傍に配置されたローラは、無端状のフィルム部材２０に所定のテンションを付与しつつフィルム部材２０の回転移動に伴って従動回転する従動ローラ２９である。これにより、無端状のフィルム部材２０は、駆動ローラ２６が回転駆動されることによって、各スリット２２，２４を介してかご操作盤８の表面側と裏面側とを矢印Ｂ方向に回転移動するように構成されている。
【００２３】
なお、本実施の形態では、フィルム部材２０がかご操作盤８の表面側において下方から上方へ移動するように回転させているが、これに限定されず、フィルム部材２０を逆方向に回転移動させてもよい。
【００２４】
図３に示すように、かご操作盤８の裏面側であって乗りかご２の外壁部との間のスペースに、消毒部３０が設けられている。消毒部３０は、例えばエタノール等を含む消毒液３１を貯留する消毒液タンク３２と、消毒液タンク３２から供給管３３を介して供給される消毒液３１を圧送するポンプ３４と、ポンプ３４から圧送された消毒液を細かい霧状にしてフィルム部材２０に吹き付けるノズル３５とを含んで構成される。ノズル３５から噴霧された消毒液３１は、ノズル対向領域においてフィルム部材２０の全幅（図３の奥行き方向）にわたって吹き付けられ、これによりフィルム表面が消毒されるようになっている。
【００２５】
上記駆動ローラ２６の回転駆動および上記ポンプの駆動は、制御部４０によって制御される。制御部４０は、エレベータシステム１０全体の動作を統括して制御するエレベータ制御盤（図示せず）と通信して乗りかごの動作情報を取得しながら、所定のタイミングおよび所定の時間的長さで駆動ローラ２６およびポンプ３４を駆動制御する。制御部４０は、主として制御プログラムを実行するＣＰＵおよび制御プログラムを格納するメモリ等から好適に構成されることができる。
【００２６】
上記におけるフィルム部材２０、駆動ローラ２６、消毒部３０および制御部４０が本実施の形態におけるエレベータ乗りかご用消毒装置を構成する。
【００２７】
続いて、図４を参照して、上記構成からなるエレベータ乗りかご用消毒装置による消毒動作について説明する。図４は、エレベータ乗りかご用消毒装置の動作手順を示すフローチャートである。この手順は、制御部４０において、メモリから読み出された制御プログラムがＣＰＵによって実行される。
【００２８】
まず、乗りかご２が戸閉状態（すなわちかご扉６が閉じた状態）で待機中であるか否かが判定される（ステップＳ１０）。これは、エレベータ制御盤から取得される情報に基づき、乗りかご２について行き先階登録および全階床においてかご呼び登録が無く且つかご扉６が閉じているか否かで判定される。この判定が肯定（ＹＥＳ）されるまで、同ステップＳ１０を繰り返し処理して待機する。
【００２９】
ステップＳ１０において乗りかご２が戸閉状態で待機中であると判定されると、駆動ローラ２８の回転駆動を開始し（ステップＳ１２）、フィルム部材２０を回転移動させる。また、これと共に、ポンプ３４の駆動も開始し（ステップＳ１４）、ノズル３５から噴霧される消毒液３１を吹き付けてフィルム部材２０の表面を消毒する。
【００３０】
そして、駆動ローラ２６の駆動開始から所定時間が経過したか否かが判定される（ステップＳ１６）。これは、駆動ローラ２６の駆動開始からタイマをスタートさせ、このタイマ値が予め設定された値になったか否かで判定される。ここではタイマ値は、無端状のフィルム部材２０が半周だけ回転移動するのに要する時間として予め設定される。
【００３１】
上記ステップＳ１６において所定時間経過したと判断されると、ポンプ３４を作動停止させるとともに（ステップＳ１８）、駆動ローラ２６の回転駆動を停止する（ステップＳ２０）。これにより１回の消毒動作が終了し、これ以降、乗りかご２内の操作ボタン１２，１４，１６ａ，１６ｂが操作されてから乗りかご２が戸閉待機状態になる度に同様の消毒動作が繰り返し実行される。
【００３２】
上述したように、本実施の形態のエレベータ乗りかご用消毒装置によれば、乗りかご２内で乗客がフィルム部材２０を介して操作ボタン１２，１４，１６ａ，１６ｂのいずれかを接触操作したとき、フィルム部材２０をかご操作盤８の裏面側に回転移動させて、その接触領域に対して消毒部３０のノズル３５から消毒液３１を噴霧して消毒することができる。また、フィルム部材２０は少なくとも半周だけ回転移動することで、かご操作盤８上の各操作ボタン１２，１４，１６ａ，１６ｂは既に消毒済みで誰も触れていないフィルム表面によって覆われることになる。したがって、操作ボタン１２，１４，１６ａ，１６ｂを覆うフィルム部材２０の表面を常時除菌または滅菌された清潔な状態に保つことができ、乗りかご２の操作ボタン１２，１４，１６ａ，１６ｂに触れることによってのウイルス感染を防止することができる。
【００３３】
なお、上記では乗りかご２が戸閉待機中にフィルム部材２０の回転および消毒を実行するものとして説明したが、これに限定されるものではなく、他のタイミングで行ってもよい。例えば、乗客４が１階から7階まで利用した後、乗りかご２に対するかご呼び登録が別の乗客によって１階で設定されたとき等に、無人の乗りかご２が呼び登録設定階まで移動するまでに上記のようなフィルム部材２０の消毒を実行してもよい。
【００３４】
次に、図５を参照して、別の実施の形態について説明する。ここでは、主として上記実施の形態と異なる点について説明することとし、上記実施の形態と同一または類似の部材および要素には同一または類似の符号を付して重複することとなる説明を援用により省略する。なお、図５では消毒液タンク３２および供給管３３の図示が省略されている。
【００３５】
上記実施の形態では１回の消毒動作でフィルム部材２０を少なくとも半周だけ回転させてフィルム部材２０の表面を消毒するものとしてが、この実施の形態では、制御部４０が、複数の操作ボタン１２，１４，１６ａ，１６ｂのうち乗客４によって接触操作された操作ボタン上に位置するフィルム部材２０の部分が消毒部３０のノズル３５に対向する位置まで移動するようにフィルム部材２０を半周よりも短い距離だけ回転させるよう制御する。
【００３６】
具体例を示すと、図５に示すように、１階で戸閉待機中であった乗りかご２に乗り込んだ乗客４が７階（または３階でも同じ）の行き先階登録ボタン１７だけを押圧操作または接触操作して７階で降り、その後、乗りかご２が戸閉待機中になった場合を想定する。このとき、７階の行き先階登録ボタン１７上に位置するフィルム部材２０の部分２１がノズル３５に対向する位置まで移動するようにフィルム部材２０を半周よりも短い距離ｄだけ回転させるように制御する。この場合における駆動ローラ２６およびポンプ３４の作動時間は、７階の行き先階登録ボタン１７が操作されたことをエレベータ制御盤からの情報により取得できるから、制御部４０は上記距離ｄだけフィルム部材２０を移動させるのに要する駆動時間を、予めテーブル等の形式で記憶されているメモリから読み出して、上記ステップＳ１６における所定時間として設定する。これにより、１回の消毒動作でのフィルム部材２０の移動距離を半周よりも短くすることができ、その分、消毒液３１の消費量を抑制することができる。
【００３７】
なお、この実施の形態において、フィルム部材２０が距離ｄだけ移動する直前までポンプ３４を作動させずに、上記７階の行き先階登録ボタン１７上に位置していたフィルム部材２０の部分２１がノズル３５に対向する位置に到達するときを見計らってポンプ３４を短時間だけ駆動させ、その部分２１だけについて消毒液３１を吹き付けるようにしてもよい。このようにすることで消毒液３１の消費量をより効果的に抑制することが可能になる。
【００３８】
次に、図６，７を参照して、もう１つの別の実施の形態について説明する。図６は図２と同様のかご操作盤８の正面図であり、図７は図６中の矢印Ｃ方向から見たかご操作盤８およびその裏面側を示す図である。ここでは、主として上記最初の実施の形態と異なる点について説明することとし、上記最初の実施の形態と同一または類似の部材および要素については同一または類似の符号を付して重複することとなる説明を援用により省略する。なお、図７では消毒液タンク３２および供給管３３の図示が省略されている。
【００３９】
図６，７に示すように、フィルム部材２０は、左側縦一列に配置された１階から４階までの４つの行き先階登録ボタン１６ａおよび開ボタン１２に対応するフィルム部分２０ａと、右側縦一列に配置された５階から８階までの４つの行き先階登録ボタン１６ｂおよび閉ボタン１４に対応するフィルム部分２０ｂとに２分割されている。また、各フィルム部分２０ａ，２０ｂに対応して、制御部４０によってそれぞれ個別に駆動可能な２つの駆動ローラ２６ａ，２６ｂが設けられている。さらに、各フィルム部分２０ａ，２０ｂに対応して、２つのノズル３５ａ，３５ｂが設けられている。各ノズル３５ａ，３５ｂは、制御部４０からの信号を受けてそれぞれ開閉制御される開閉弁３６ａ，３６ｂを介してポンプ３４に配管を介して接続されている。
【００４０】
この実施の形態では、制御部４０は、エレベータ制御盤から取得した情報に基づいて乗客４が接触操作または押圧操作した操作ボタンがいずれか一方のフィルム部分２０ａまたは２０ｂによって覆われる操作ボタンであると判定される場合には、接触された一方のフィルム部分２０ａまたは２０ｂだけを回転駆動させて、対応するノズル３５ａまたは３５ｂから消毒液３１を噴出させる。例えばノズル３５ａから消毒液３１を噴出させる場合には、開閉弁３６ａを開弁する一方で開閉弁３６ｂを閉弁してポンプ３４を駆動することにより、ノズル３５ａだけから消毒液３１を噴射することができる。このようにして消毒されるフィルム部分を限定することによっても、消毒液の消費量を抑制することができる。
【００４１】
次に、図８を参照して、さらに別の実施の形態について説明する。図８は、図２と同様のかご操作盤８の正面図である。この実施の形態では、かご操作盤８において、開ボタン１２および左側操作ボタン列１６ａの側部に左側スリット２３が縦方向に延在して形成され、閉ボタン１４および右側操作ボタン列１６ｂの側部に右側スリット２５が縦方向に延在して形成されている。そして、無端状のフィルム部材２０は、これらの左右のスリット２３，２５を介してかご操作盤８の表面側と裏面側とを横方向に回転移動可能に設けられている。かご操作盤８の裏面側に設けられる駆動ローラおよび従動ローラは、図３を参照して説明したものに対して９０度向きを変えて配置位置が変更されるだけであり、消毒部の構成についてもほぼ同様である。この実施の形態のように、フィルム部材２０を水平方向または横方向に回転移動させてもよい。
【００４２】
また、この場合に、フィルム部材２０を操作ボタンの行に対応して複数に分割し、各分割されたフィルム部分ごとに回転駆動および消毒されるように構成してもよい。具体例としては、開ボタン１２および閉ボタン１４の行、１階および５階の行き先階登録ボタンの行、２階および６階の行き先階登録ボタンの行、３階および７階の行き先階登録ボタンの行、および、４階および８階の行き先階登録ボタンの行にそれぞれ対応するように、フィルム部材２０を縦方向に５分割して、それぞれについて回転駆動および消毒を別個に行えるようにする。その場合の駆動部材および消毒部の構成は、図６を参照して上述したのと分割数および移動方向が異なるだけであるため、ここでの詳細な説明を省略する。
【００４３】
次に、図９を参照して、さらにもう１つ別の実施の形態について説明する。図９は、図２と同様のかご操作盤８の正面図である。この実施の形態では、フィルム部材２０の表面に、消毒済みであることを示す表示が付されている点だけが異なり、他の構成は最初の実施の形態と同じである。
【００４４】
具体的には、フィルム２０の両側縁部に「このフィルムは消毒・除菌済みです」という表示１７が印刷等によって予め付されている。これにより、乗りかご２に乗り込んで操作ボタン１２，１４，１６ａ，１６ｂをタッチ操作しようとする乗客４に対してフィルム部材２０が消毒されていることを知らしめることで、乗客４により安心感を与えることができる。なお、このような乗客４に対する報知は、音声アナウンス等の別の方法と組み合わせて行ってもよい。
【符号の説明】
【００４５】
４  乗客、５  ＩＤカード、６  乗りかご扉、７  主ロープ、８  かご操作盤、１０  エレベータシステム、１２  開ボタン、１４  閉ボタン、１６ａ，１６ｂ  行き先階登録ボタン、１８  インジケータ、２０  フィルム部材、２６  駆動ローラ、２９  従動ローラ、３０  消毒部、３２  消毒液タンク、３４  ポンプ、３５  ノズル、４０  制御部。
【図１】
2011116536.tif 000003
【図２】
2011116536.tif 000004
【図３】
2011116536.tif 000005
【図４】
2011116536.tif 000006
【図５】
2011116536.tif 000007
【図６】
2011116536.tif 000008
【図７】
2011116536.tif 000009
【図８】
2011116536.tif 000010
【図９】
2011116536.tif 000011